(57)【要約】【課題】簡単な方法で現場作業を簡略化しながら建築用部材の実結合した部分から水分が浸透して建築用部材の腐れや膨張などが生じないようにできる。【解決手段】側端面部に実接合部１を設けた建築用部材２の表面及び側端面部の実接合部１に紫外線硬化性塗料３を塗布すると共に表面のみに紫外線を照射して表面の紫外線硬化性塗料３のみを紫外線硬化させる。このように表面の紫外線硬化性塗料３のみを紫外線硬化させて側端面部の実接合部１の紫外線硬化性塗料を紫外線硬化させない状態の建築用部材２を実接合部１同士を実接合し、該実接合部１の紫外線硬化性塗料３同士を接触させて自然硬化させる。【選択図】        図１
2004232243.tif 000002
【特許請求の範囲】
【請求項１】
側端面部に実接合部を設けた建築用部材の表面及び側端面部の実接合部に紫外線硬化性塗料を塗布すると共に表面のみに紫外線を照射して表面の紫外線硬化性塗料のみを紫外線硬化させ、このように表面の紫外線硬化性塗料のみを紫外線硬化させて側端面部の実接合部の紫外線硬化性塗料を紫外線硬化させない状態の建築用部材を実接合部同士を実接合し、該実接合部の紫外線硬化性塗料同士を接触させて自然硬化させることを特徴とする建築用部材の実接合方法。
【請求項２】
建築用部材同士を実接合している部分に温風を当てて実接合している部分における紫外線硬化性塗料の硬化を促進させることを特徴とする建築用部材の実接合方法。
【発明の詳細な説明】
【０００１】
【発明の属する技術分野】
本発明は、建築用部材の実接合方法に関するものである。
【０００２】
【従来の技術】
床材のような建築用部材は側端面部に実接合部を有しており、この建築用部材は施工に当たっては隣接する建築用部材の実接合部同士を実接合することで接合している。
【０００３】
これらの建築用部材の実接合に当たっては実接合部に接着剤を塗布して実接着接合を行っているのが一般的である。これは実接合を目的として接着剤を塗布したもので、実接合部の一部に接着剤を塗布するのみで実接合部の全面にわたって接着剤を塗布するわけではなく、実接合された部分の防水効果を期待できず、実接合した部分から水分が浸透し、木腐れが生じたり、建築用部材がＭＤＦで形成してある場合にはＭＤＦの膨張などが生じるという問題があった。また、現場において実接合部に接着剤を塗布するため、現場作業が面倒であるという問題があった。
【０００４】
一方、隣接して下地に貼着されてなる長尺床材の目地部分に紫外線硬化性塗料を充填し、該紫外線硬化性塗料に紫外線を照射して硬化させて長尺床材の目地部を接合することも従来から知られている。（特許文献１参照）
しかしながら、この特許文献１に示された従来例にあっては、現場で塗料を塗り込む作業が必要で、作業性が悪くなるだけでなく、現場での塗料を塗り込む作業であるため、長尺の床材の表面を汚しやすく、更に、現場において紫外線を照射する装置が必要となるという問題がある。また、この従来例においては端に長尺床材の目地部分に現場で紫外線硬化性塗料を充填、硬化させるものであるから、複雑な形状の実形状（床材としては一般的）には対応できないものである。
【０００５】
【特許文献１】
特開昭６０−９２５５４号公報
【０００６】
【発明が解決しようとする課題】
本発明は上記の点に鑑みてなされたものであり、簡単な方法で現場作業を簡略化しながら建築用部材の実結合した部分から水分が浸透して建築用部材の腐れや膨張などが生じないようにできる建築用部材の実接合方法を提供することを課題とするものである。
【０００７】
【課題を解決するための手段】
上記課題を解決するために本発明に係る建築用部材の実接合方法は、側端面部に実接合部１を設けた建築用部材２の表面及び側端面部の実接合部１に紫外線硬化性塗料３を塗布すると共に表面のみに紫外線を照射して表面の紫外線硬化性塗料３のみを紫外線硬化させ、このように表面の紫外線硬化性塗料３のみを紫外線硬化させて側端面部の実接合部１の紫外線硬化性塗料を紫外線硬化させない状態の建築用部材２を実接合部１同士を実接合し、該実接合部１の紫外線硬化性塗料３同士を接触させて自然硬化させることを特徴とするものである。
【０００８】
このように、建築用部材２の表面保護、化粧のために塗布する紫外線硬化性塗料３の塗布工程の際に同時に建築用部材２の側端面部の実結合部１にも紫外線硬化性塗料３を塗布し、表面の紫外線硬化性塗料３のみに紫外線を照射させて紫外線硬化させるという方法を採用するだけで、側端面部の実接合部１に半硬化状態で紫外線硬化性塗料３が存在することになり、施工時に実接合部１同士を実接合することで、実接合部１に塗布してある半硬化状態の紫外線硬化性塗料３の塗布面同士が互いに接触して自然硬化して実接合部１の全面にわたって実接着接合すると共に実接合による接合部分の防水性を向上させることができるものである。
【０００９】
また、建築用部材２同士を実接合している部分に温風を当てて実接合している部分における紫外線硬化性塗料３の硬化を促進させることが好ましいものである。
【００１０】
このような方法を採用することで、実接合部１に塗布してある半硬化状態の紫外線硬化性塗料３の塗布面同士が互いに接触して自然硬化するのを促進することができるものである。
【００１１】
【発明の実施の形態】
以下、本発明を添付図面に示す実施形態に基づいて説明する。
【００１２】
床材や壁材のような建築用部材２には側端面部に接合突部１ａ、接合凹部１ｂ等の実接合部１を形成してある。この側端面部に側端面部に実接合部１を設けた建築用部材２には表面に表面保護、化粧のために紫外線硬化性塗料３を塗布するのであるが、この建築用部材２の表面に紫外線硬化性塗料３を塗布する塗布工程において、建築用部材２の表面だけでなく実接合部１を設けた側端面部にも紫外線硬化性塗料３を塗布する。塗布に当たっては一例を挙げるとスポンジロールなどにより塗布すると表面及び実接合部１を設けた側端面部に容易に紫外線硬化性塗料３を塗布することができるものである。もちろんスポンジロール以外の他の任意の手段により建築用部材２の表面だけでなく実接合部１を設けた側端面部に紫外線硬化性塗料３を塗布するようにしてもよいものである。
【００１３】
このようにして紫外線硬化性塗料３の塗布工程が終わると、次に、紫外線を照射して紫外線硬化性塗料３を硬化させるのであるが、紫外線硬化工程において、本発明では建築用部材２の表面に塗布した紫外線硬化性塗料３のみにＵＶランプのような紫外線照射装置５により紫外線を照射して表面のみ紫外線硬化させ、実結合部１を有する側端面部には紫外線を照射せずにこの実結合部１を有する側端面部に塗布した紫外線硬化性塗料３は紫外線硬化しない状態としておく。
【００１４】
この紫外線照射工程においては、図１に示すように実結合部１を有する側端面部をマスク６により覆った状態で上方から表面にのみ紫外線照射装置５により紫外線を照射することで表面にのみ紫外線が照射されて実結合部１を有する側端面部に紫外線が照射されないようにするものである。
【００１５】
これにより図２に示すように、簡単に表面の紫外線硬化性塗料３のみを紫外線硬化させて側端面部の実接合部１の紫外線硬化性塗料を紫外線硬化させない塗装を施した建築用部材２を得ることができるものである。図２においてイが紫外線硬化させている表面の紫外線硬化性塗料３部分を示し、ロが紫外線硬化させていない未硬化（半硬化）の実接合部１を有する側端面の紫外線硬化性塗料３部分を示している。
【００１６】
上記のように、表面は紫外線硬化性塗料３が紫外線硬化し且つ実接合部１は紫外線硬化性塗料３が紫外線硬化することなく未硬化（半硬化）状態となった図２に示すような建築用部材２を現場で施工するものである。
【００１７】
建築用部材２の施工に当たっては、図３に示すように、建築用部材２を根太等の下地材７に載置して釘等の固着具８を実接合部１である接合突部１ａ部分で打ち込んで下地材７に固着し、次に、隣接する建築用部材２を下地材７に載置すると共に実接合部１である接合凹部１ｂ部分を、上記先に下地材７に固着した建築用部材２の実接合部１である接合突部１ａに嵌め込んで実接合するものである。この場合、実接合部１である接合突部１ａを含む側端面部の全面に塗布してある未硬化（半硬化）状態紫外線硬化性塗料３と、実接合部１である接合凹部１ｂ部分を含む側端面部の全面に塗布してある未硬化（半硬化）状態紫外線硬化性塗料３とが面接触し、時間の経過と共に自然乾燥して自然硬化し、複雑な形状の実接合された部分が図４に示すように全面にわたって実接着接合されることになる。
【００１８】
これにより、建築用部材２同士を実接合している部分が全面にわたって防水構造となり、実接合による接合部分の防水性を向上させることができるものである。しかも、現場においては複雑な形状の実接合部への接着剤の塗布が必要でないので、現場施工が簡略化されるものである。
【００１９】
ここで、上記のように、現場で建築用部材２同士を実接合した後、建築用部材２同士を実接合している部分に５０〜８０℃の温風を１〜３０秒吹きかけて実接合している部分における紫外線硬化性塗料３の硬化を促進させるようにしてもよく、この場合には実接合部１に塗布してある半硬化状態の紫外線硬化性塗料３の塗布面同士が互いに接触して自然硬化するのを促進することができるものである。
【００２０】
【発明の効果】
上記のように本発明の請求項１記載の発明にあっては、側端面部に実接合部を設けた建築用部材の表面及び側端面部の実接合部に紫外線硬化性塗料を塗布すると共に表面のみに紫外線を照射して表面の紫外線硬化性塗料のみを紫外線硬化させ、このように表面の紫外線硬化性塗料のみを紫外線硬化させて側端面部の実接合部の紫外線硬化性塗料を紫外線硬化させない状態の建築用部材を実接合部同士を実接合し、該実接合部の紫外線硬化性塗料同士を接触させて自然硬化させるので、建築用部材の表面保護、化粧のために塗布する紫外線硬化性塗料の塗布工程の際に同時に建築用部材の側端面部の実結合部にも紫外線硬化性塗料を塗布し、表面の紫外線硬化性塗料のみに紫外線を照射させて紫外線硬化させるという簡単な方法を採用するだけで、側端面部の実接合部に半硬化状態で紫外線硬化性塗料が存在することになり、施工時に実接合部同士を実接合することで、実接合部に塗布してある半硬化状態の紫外線硬化性塗料の塗布面同士が互いに接触して自然硬化して実接合部の全面にわたって実接着接合すると共に実接合による接合部分の防水性を向上させ、実結合した部分から水分が浸透して建築用部材の腐れや膨張などが生じないようにできるものである。そして、本発明においては、このように実接合部同士を紫外線硬化性塗料の自然乾燥により接着一体化するに当たって、工場で建築用部材の表面に紫外線硬化性塗料を塗布する際に同時に実結合部を有する側端面部にも紫外線硬化性塗料を塗布するものであるから、複雑な形状の実接合部であっても簡単に紫外線硬化性塗料を塗布できると共に現場では塗布作業が必要でなくて現場施工を簡略化できるものである。
【００２１】
また、請求項２記載の発明にあっては、上記請求項１記載の発明の効果に加えて、建築用部材同士を実接合している部分に温風を当てて実接合している部分における紫外線硬化性塗料の硬化を促進させるので、実接合部に塗布してある半硬化状態の紫外線硬化性塗料の塗布面同士が互いに接触して自然硬化するのを促進することができるものである。
【図面の簡単な説明】
【図１】本発明の建築用部材の表面のみ紫外線を照射して実接合部を有する側端面部をマスクで覆って紫外線が照射されないようにした説明図である。
【図２】同上の建築用部材の拡大断面図である。
【図３】同上の施工状態を示す断面図である。
【図４】同上の実接合による接合部分の拡大断面図である。
【符号の説明】
１  実接合部
２  建築用部材
３  紫外線硬化性塗料
【図１】
2004232243.tif 000003
【図２】
2004232243.tif 000004
【図３】
2004232243.tif 000005
【図４】
2004232243.tif 000006